(57)【特許請求の範囲】
【請求項１】
口頸部１を起立する容器体と、
上記容器体内に昇降自在に、かつ上昇位置及び下降位置において固定可能に保持させた筒下端面を傾斜底板８で閉塞し、該傾斜底板に単数の錠剤だけを落込み可能な凹部９を設けると共に、筒一部に錠剤出入用窓孔１０を穿設した昇降筒と、
上記容器体口頸部上面を閉塞する頂壁から筒下端部が上記昇降筒上部へ係合自在な内周壁１３を垂設したキャップとを有し、
キャップ取外し時に内周壁１３が昇降筒Ｃを、該昇降筒が固定保持されるまで引上げ可能とすると共に、口頸部に対するキャップ再嵌合時に、内周壁１３が昇降筒を、昇降筒が固定保持されるまで押下げ可能に形成した、
ことを特徴とする錠剤収納容器。
【請求項２】
口頸部１を起立する容器体Ａと、
上記口頸部内面へ嵌着させた筒部下端内面に第１係合フランジ５を、かつ上部内面に第１係合突条６を、それぞれ付設した保持筒Ｂと、
上記第１係合フランジ５が形成するフランジ孔に筒上部を挿入させて、該筒上部外面に付設した第２係合フランジ７を第１係合フランジ５上面へ係合させ、かつ筒下端面を傾斜底板８で閉塞して該傾斜底板上面に単数の錠剤だけを落込み可能な凹部９を設け、更に第２係合フランジ７下方に位置する筒一部に錠剤出入用窓孔１０を穿設した昇降筒Ｃと、
口頸部の上端面を閉塞する頂壁外周から、口頸部外面へ嵌合させて外周壁１２を垂設し、又頂壁から内周壁１３を垂下して該内周壁下部を上記昇降筒Ｃの筒上部内面へ嵌合させたキャップＤとを有し、
上記内周壁１３下部と昇降筒Ｃ上部との、また第２係合フランジ７と第１係合突条６との各関係を、キャップ取外し時に内周壁１３が昇降筒Ｃを、第２係合フランジ７外周面が第１係合突条６下面へ摩擦嵌合して停止するまで引上げ可能とすると共に、口頸部に対するキャップ再嵌合時に、第１係合フランジ５に第２係合フランジ７が係合するまで、内周壁１３下端が昇降筒Ｃを押下げ可能で、かつ該押下げにより内周壁１３下端部が昇降筒Ｃ上部内へ摩擦嵌合可能に形成した、
ことを特徴とする錠剤収納容器。
【発明の詳細な説明】
【０００１】
【発明の属する技術分野】
本発明は錠剤を収容する錠剤収納容器に関する。
【０００２】
【従来の技術】
この種の錠剤収納容器は、錠剤が入った容器体に形成した錠剤取出用の開口部と、該開口部を開閉する開閉部材とを有するのが一般で、錠剤の取出しは開口部を開口した後、容器体を傾倒又は倒立させることにより行っている。
【０００３】
【発明が解決しようとする課題】
上記従来の錠剤収納容器では容器体を傾倒又は倒立させることにより錠剤を開口部から取り出すが、こうした場合には容器体から複数の錠剤が取り出されることが多く、このため１個の錠剤のみが必要な場合には余分の錠剤を容器体内へ戻さなければならず面倒であった。
【０００４】
請求項１及び２記載の錠剤収納容器は、キャップの開閉動作に連動して昇降する昇降筒に錠剤出入用窓孔を、昇降筒下端面を閉塞する傾斜底板に容器体倒立時に単数の錠剤だけを落込み可能な凹部を設け、キャップ取外し時におけるキャップによる昇降筒の引上げにより錠剤出入用窓孔を閉塞させることで凹部内の単数の錠剤だけを取出し可能とするものである。
【０００５】
【課題を解決するための手段】
第１の手段として、口頸部１を起立する容器体と、
上記容器体内に昇降自在に、かつ上昇位置及び下降位置において固定可能に保持させた筒下端面を傾斜底板８で閉塞し、該傾斜底板に単数の錠剤だけを落込み可能な凹部９を設けると共に、筒一部に錠剤出入用窓孔１０を穿設した昇降筒と、
上記容器体口頸部上面を閉塞する頂壁から筒下端部が上記昇降筒上部へ係合自在な内周壁１３を垂設したキャップとを有し、
キャップ取外し時に内周壁１３が昇降筒Ｃを、該昇降筒が固定保持されるまで引上げ可能とすると共に、口頸部に対するキャップ再嵌合時に、内周壁１３が昇降筒を、昇降筒が固定保持されるまで押下げ可能に形成した。
【０００６】
第２の手段として、口頸部１を起立する容器体Ａと、
上記口頸部内面へ嵌着させた筒部下端内面に第１係合フランジ５を、かつ上部内面に第１係合突条６を、それぞれ付設した保持筒Ｂと、
上記第１係合フランジ５が形成するフランジ孔に筒上部を挿入させて、該筒上部外面に付設した第２係合フランジ７を第１係合フランジ５上面へ係合させ、かつ筒下端面を傾斜底板８で閉塞して該傾斜底板上面に単数の錠剤だけを落込み可能な凹部９を設け、更に第２係合フランジ７下方に位置する筒一部に錠剤出入用窓孔１０を穿設した昇降筒Ｃと、
口頸部の上端面を閉塞する頂壁外周から、口頸部外面へ嵌合させて外周壁１２を垂設し、又頂壁から内周壁１３を垂下して該内周壁下部を上記昇降筒Ｃの筒上部内面へ嵌合させたキャップＤとを有し、
上記内周壁１３下部と昇降筒Ｃ上部との、また第２係合フランジ７と第１係合突条６との各関係を、キャップ取外し時に内周壁１３が昇降筒Ｃを、第２係合フランジ７外周面が第１係合突条６下面へ摩擦嵌合して停止するまで引上げ可能とすると共に、口頸部に対するキャップ再嵌合時に、第１係合フランジ５に第２係合フランジ７が係合するまで、内周壁１３下端が昇降筒Ｃを押下げ可能で、かつ該押下げにより内周壁１３下端部が昇降筒Ｃ上部内へ摩擦嵌合可能に形成した。
【０００７】
【発明の実施の形態】
以下、本発明の実施形態を図面を参照しながら説明する。
図１において、Ａは容器体で、周壁上端部から肩部を介して口頸部１を起立して該口頸部外面に雄ねじを形成する。
【０００８】
Ｂは保持筒で、筒部上端から突設した外向きフランジ３を容器体口頸部１上面へ載置させて容器体口頸部内面へ嵌着させた筒部４下端内面から第１係合フランジ５を突設すると共に、筒部上端部内面に第１係合突条６を周設する。そして該第１係合突条下面を下方傾斜させて後述の昇降筒Ｃの第２係合フランジ７外周面が第１係合突条６下面へ摩擦係合可能とする。なお、第２係合フランジ７の第１係合突条６に対する係合は上記のほか筒部にアンダカットを形成することによっても可能である。
【０００９】
Ｃは昇降筒で、第１係合フランジ５が形成するフランジ孔に、筒下端面が前方かつ斜め下方に傾斜する筒上部を挿入させて、該筒上部外面から突設した第２係合フランジ７を第１係合フランジ５上面へ係合させ、かつ筒下端面を傾斜底板８で閉塞して該傾斜底板前部中央部上面に単数の錠剤だけを落込み可能な凹部９を設ける。
【００１０】
そして第２係合フランジ７下方に位置する筒前部中央部に錠剤が出入り可能な錠剤出入用窓孔１０を穿設する。該錠剤出入用窓孔は筒部だけに形成することもできるが、図示例にように、該錠剤出入用窓孔下縁を凹部９前縁に連続させて傾斜底板８からの錠剤の滑落の円滑化を図るのが好ましい。さらに筒上端内面に第２係合突条１１を周設する。
【００１１】
Ｄはキャップで、口頸部１の上端面を閉塞する頂壁外周から、口頸部外面の雄ねじへ螺合させる雌ねじを有する外周壁１２を垂設し、又頂壁中央部から内周壁１３を垂下して該内周壁下端外面に周設した第３係合突条１４を昇降筒Ｃの第２係合突条１１内面へ嵌合させる。
【００１２】
しかし内周壁１３と昇降筒Ｃとの連結は、第２係合突条１１と第３係合突条１４との嵌合によることなく、すなわち第２係合突条１１と第３係合突条１４との双方を省略して内周壁１３下端を昇降筒Ｃ上端内面へ回動自在に摩擦嵌合させることも可能である。
さらに内周壁１３外面に複数の押当突条１５を等間隔で縦設する。該突条下端は内周壁下端に達しておらず、従って昇降筒Ｃの上端が押当突条１５下端に接触することがない。１６はキャップ頂壁から垂下した嵌合筒で、保持筒Ｂ上端部内面へ嵌合させている。
なお、保持筒Ｂ、昇降筒Ｃ及びキャップＤのそれぞれは合成樹脂材で一体成形する。
【００１３】
次に本実施形態の作用について説明する。
容器から錠剤を取り出すには、まず図１の容器体正立状態から容器体を前方へ傾倒させて倒立させればよく、すると容器体内の複数の錠剤が錠剤出入用窓孔１０から内周壁１３内へ入る。次いで容器体を正立させると昇降筒Ｃの凹部９内へ１つの錠剤が入り込むと共に、昇降筒Ｃの傾斜底板８が傾斜しているため、残余の錠剤は錠剤出入用窓孔１０から容器体内へ落下する。
【００１４】
この状態からキャップＤを開方向へ回すと、第２係合突条１１と第３係合突条１４とが回動自在に係合しているため、キャップの回動に伴う上昇と共に、昇降筒Ｃも次第に上昇する。そして第２係合フランジ７外周面が第１係合突条６下面に摩擦係合すると昇降筒の上昇は停止する。ここからさらにキャップを開方向へ回すと第３係合突条１４が第２係合突条１１との係合から離脱すると共に、キャップが口頸部１から螺脱する。このように３係合突条１４が第２係合突条１１との係合から離脱しても昇降筒Ｃは保持筒Ｂに摩擦係合しているので落下することがない。この状態を示すのが図２である。なお、昇降筒Ｃと保持筒Ｂとの係合は摩擦係合に限らずアンダカットによる係合も可能であること上記の如くである。
【００１５】
図２に示すように昇降筒Ｃの上昇が停止した時点で、錠剤出入用窓孔１０は保持筒Ｂ内に位置して該保持筒により閉塞されているため、この状態から容器体を倒立させると図３に示すように凹部９内の１つの錠剤が排出されるだけである。
錠剤取出し後、容器体を正立させてキャップＤを口頸部１へ螺合させると、第３係合突条１４上面が第２係合突条１１下面へ係合すると共に、押当突条１５下面が昇降筒Ｃ上端面に押当するため、キャップＤを閉方向へ回すとこれに伴って昇降筒Ｃが下降する。
【００１６】
そして第２係合フランジ７が第１係合フランジ５上面へ係合すると、昇降筒Ｃの下降は停止する。この時点で錠剤出入用窓孔１０は図１に示すように保持筒Ｂの下方へ位置する。
【００１７】
【発明の効果】
請求項１及び２記載の錠剤収納容器は、キャップ内周壁１３下部を嵌合させた昇降筒Ｃに錠剤出入用窓孔１０を、昇降筒下端面を閉塞する傾斜底板８に容器体倒立時に単数の錠剤だけを落込み可能な凹部９を設け、キャップ取外し時におけるキャップによる昇降筒の引上げにより錠剤出入用窓孔１０を閉塞可能としたので、一個の錠剤だけの取り出しが可能となり、従って従来のように余分の錠剤を容器体内へ戻すといった面倒さから解放されることになる。
【００１８】
また、保持筒、昇降筒及びキャップのそれぞれは合成樹脂材により一体成形が可能な構成であり、従って部材数減少によるコスト低減が図れる。
【図面の簡単な説明】
【図１】本発明に係る錠剤収納容器の要部を示す断面図。
【図２】同じく、キャップ取外し後の状態を示す断面図。
【図３】同じく、錠剤排出状態を示す断面図
【符号の説明】
１  口頸部
５  第１係合フランジ
６  第１係合突条
７  第２係合フランジ
８  傾斜底板
９  凹部
１０  錠剤出入用窓孔
１２  外周壁
１３  内周壁
Ａ  容器体
Ｂ  保持筒
Ｃ  昇降筒
Ｄ  キャップ
【図１】
0003691225.tif 000002
【図２】
0003691225.tif 000003
【図３】
0003691225.tif 000004